(57)【要約】【課題】画像制御装置と分離可能であり、容易に持ち歩きが可能な画像表示媒体、および前記画像表示媒体と画像制御装置とから構成される画像表示システムの提供。【解決手段】電気的作用によって表示状態が変化するとともに、一の電気的作用によって形成された表示状態を、前記一の電気的作用を除去しても保持する表示領域１０と、外部に設けられた画像インターフェイス３００を電気的に接続するための接続クリップ２００が接続される接続部８と、接続部８に接続された画像インターフェイス３００から入力された画像表示タイミング信号に基づいて表示領域１０を駆動する駆動ＩＣ２、シーケンサ４、および昇圧回路６とを有する画像表示媒体、および前記画像表示装置と画像インターフェイス３００とからなる画像表示システム。【選択図】図１
2008112057.tif 000002
【特許請求の範囲】
【請求項１】
電気的作用によって表示状態が変化するとともに、一の電気的作用によって形成された表示状態を、前記一の電気的作用を除去しても保持する表示領域と、
外部に設けられた画像制御装置を電気的に接続するための電気接続コネクタが接続される第１の接続部と、
前記第１の接続部に接続された画像制御装置から入力された画像表示タイミング信号に基づいて前記表示領域を駆動する駆動回路部と
電気接続コネクタを介して他の画像表示媒体に接続される第２の接続部と
を備え、
前記表示領域と前記駆動回路と前記第１および第２の接続部とは一体として構成されるとともに、前記第１または第２の接続部への前記電気接続コネクタの脱着より前記画像制御装置または他の画像表示媒体と接離されることを特徴とする画像表示媒体。
【請求項２】
前記駆動回路部は、
接続部に接続された画像制御装置から入力された画像表示タイミング信号に基づいて駆動信号を発生するシーケンサと、
前記シーケンサで発生した駆動信号に基づいて前記表示領域に電気的作用を及ぼす駆動ＩＣと、
前記シーケンサで発生した駆動信号を昇圧して前記駆動ＩＣを駆動するための電圧を発生させる昇圧回路と
を有する請求項１に記載の画像表示媒体。
【請求項３】
前記表示領域を形成する表示層と、少なくとも一部が、前記接続部が形成されたフレーム部を構成するとともに、少なくとも一方が透光性を有し、前記表示層を間に保持する１対の基板とを有し、
前記接続部は、前記電気接続コネクタに電気的に接続される一群の電気接点である電気接点群を有するとともに、前記シーケンサと前記駆動ＩＣと前記電圧印加回路とは前記基板におけるフレーム部上に形成されてなる
請求項２に記載の画像表示媒体。
【請求項４】
請求項１〜３の何れか１項に記載の画像表示媒体と、
前記画像表示媒体で表示すべき画像に関する画像表示タイミング信号を前記画像表示媒体の駆動部に入力する画像制御装置と、
前記画像表示媒体における接続部に接続されて前記画像制御装置と前記画像表示媒体のシーケンサとを電気的に接続する電気接続コネクタと
を備えることを特徴とする画像表示システム。
【請求項５】
前記画像制御装置は、外部のコンピュータからの画像データを受ける画像データ受取部と、前記画像データ受取部で受け取った画像データに基づき、前記画像表示媒体における画像表示タイミングを設定する画像表示タイミング信号を発生させるタイミング発生部とを備える請求項４に記載の画像表示システム。
【請求項６】
前記電気接続コネクタは、前記画像表示媒体の接続部を銜えるクリップ本体と、前記クリップ本体における前記接続部に接触する側の面に設けられ、前記クリップ本体が前記接続部を銜えると、前記接続部に形成された電気接点群の各電気接点に接触する一群の接触端子とを有する接続クリップである請求項４または５に記載の画像表示システム。
【請求項７】
前記接続クリップにおける接触端子は、メッシュ上に電極を形成したメッシュ電極により形成されてなる請求項６に記載の画像表示システム。
【発明の詳細な説明】
【技術分野】
【０００１】
本発明は、画像表示媒体および画像表示システムに関する。
【背景技術】
【０００２】
液晶ディスプレイ中の複数の電極に接続された複数の電気接触パッドを有するディスプレイタグ上の双安定液晶ディスプレイの表示状態を変化させるための装置であって、ディスプレイタグを受け入れ、位置決めするスロットを画定するボディと、ボディ中に設置された複数の接触ピンと、外部からディスプレイコマンド信号を受け取り、接触ピンが電機接触パッドと接触した際にディスプレイの電極に電気駆動信号を印加すべく接触ピンに接続された駆動エレクトロニクスと、接触ピンと電機接触パッドとを接触させ、駆動エレクトロニクスからの電気駆動信号を接触ピンに印加させるためのオペレータ制御手段とを有する書込みヘッドが特許文献１で提案されている。
【０００３】
また、表示ユニットを制御する制御部と、表示ユニットを物理的に把持する機構と、その機構に設けられ、表示ユニットと制御部との間の信号を媒介する信号インターフェイスとを含み、その外径および材質が表示ユニットのグリップ部として機能するよう形成された支持デバイスが特許文献２で提案されている。
【０００４】
更に、被挟持媒体を挟んで保持する挟持部と、情報を記憶するクリップ側記憶手段と、当該記憶手段に記録される情報を無線通信により受送信するためのクリップ側通信手段とを備えた電子クリップが特許文献３に提案されている。
【特許文献１】特開２００４−１８４９９７号公報
【特許文献２】特開２００３−２４９７６８号公報
【特許文献３】特開２００４−１９２２８７号公報
【発明の開示】
【発明が解決しようとする課題】
【０００５】
１つの表示媒体では表示領域の面積が限られ、複数の書類を同時に処理するなど、大きな画像を鮮明に表示することが困難なことがある。
【０００６】
これに対して複数の表示媒体を１つの画像制御装置に接続して複数の画像を一度に表示できれば、大きな画像を鮮明に表示でき、また複数の画像を一度に表示することができる。
【０００７】
また、コレステリック液晶を用いた表示媒体のようにメモリ性のある表示媒体は、一度画像を形成してしまえば、画像制御装置から新たな画像信号を入力しない限り表示状態がそのまま保持されるから、無電源で持ち運びできる利点を有する。しかし、そのためには、表示媒体と画像制御装置とを多数回に亘って高い信頼性で脱着できる接続手段が望まれるが、特許文献１にあるようなピン型のコネクタでは、高頻度で脱着する際の信頼性が充分ではなかった。
【０００８】
本発明は、上記問題を解決すべく成されたもので、画像制御装置と分離可能であり、容易に持ち歩きが可能な画像表示媒体、および前記画像表示媒体と画像制御装置とから構成される画像表示システムの提供を目的とする。
【課題を解決するための手段】
【０００９】
請求項１に記載の発明は、電気的作用によって表示状態が変化するとともに、一の電気的作用によって形成された表示状態を、前記一の電気的作用を除去しても保持する表示領域と、外部に設けられた画像制御装置を電気的に接続するための電気接続コネクタが接続される第１の接続部と、前記第１の接続部に接続された画像制御装置から入力された画像表示タイミング信号に基づいて前記表示領域を駆動する駆動回路部と、  電気接続コネクタを介して他の画像表示媒体に接続される第２の接続部とを備え、前記表示領域と前記駆動回路と前記第１および第２の接続部とは一体として構成されるとともに、前記第１または第２の接続部への前記電気接続コネクタの脱着より前記画像制御装置または他の画像表示媒体と接離されることを特徴とする画像表示媒体に関する。
【００１０】
請求項２に記載の発明は、前記駆動回路部が、接続部に接続された画像制御装置から入力された画像表示タイミング信号に基づいて駆動信号を発生するシーケンサと、前記シーケンサで発生した駆動信号に基づいて前記表示領域に電気的作用を及ぼす駆動ＩＣと、シーケンサで発生した駆動信号を昇圧して前記駆動ＩＣを駆動するための電圧を発生させる昇圧回路とを有する請求項１に記載の画像表示媒体に関する。
【００１１】
請求項３に記載の発明は、前記表示領域を形成する表示層と、少なくとも一部が、前記接続部が形成されたフレーム部を構成するとともに、少なくとも一方が透光性を有し、前記表示層を間に保持する１対の基板とを有し、前記接続部が、前記電気接続コネクタに電気的に接続される一群の電気接点である電気接点群を有するとともに、前記シーケンサと前記駆動ＩＣと前記電圧印加回路とは前記基板におけるフレーム部上に形成されてなる請求項２に記載の画像表示媒体に関する。
【００１２】
請求項４に記載の発明は、請求項１〜３の何れか１項に記載の画像表示媒体と、前記画像表示媒体で表示すべき画像に関する画像データを前記画像表示媒体の駆動部に入力する画像制御装置と、前記画像表示媒体における接続部に接続されて前記画像制御装置と前記画像表示媒体のシーケンサとを電気的に接続する電気接続コネクタとを備えることを特徴とする画像表示システムに関する。
【００１３】
請求項５に記載の発明は、前記画像制御装置が、外部のコンピュータからの画像データを受ける画像データ受取部と、前記画像データ受取部で受け取った画像データに基づき、前記画像表示媒体における画像表示タイミングを設定する画像表示タイミング信号を発生させるタイミング発生部とを備える請求項４に記載の画像表示システムに関する。
【００１４】
請求項６に記載の発明は、前記電気接続コネクタが、前記画像表示媒体の接続部を銜えるクリップ本体と、前記クリップ本体における前記接続部に接触する側の面に設けられ、前記クリップ本体が前記接続部を銜えると、前記接続部に形成された電気接点群の各電気接点に接触する一群の接触端子とを有する接続クリップである請求項４または５に記載の画像表示システムに関する。
【００１５】
請求項７に記載の発明は、前記接続クリップにおける接触端子が、メッシュ上に電極を形成したメッシュ電極により形成されてなる請求項６に記載の画像表示システムに関する。
【発明の効果】
【００１６】
請求項１の発明によれば、画像制御装置と分離可能であり、容易に持ち歩きが可能な画像表示媒体が提供される。
【００１７】
請求項２の発明によれば、駆動ＩＣを駆動するための駆動電圧を発生させる昇圧回路は画像表示媒体に搭載されているから、高電圧を外部から供給する必要がない。したがって、電気接続コネクタと前記画像表示媒体の接続部との接続が不正確で接続部において短絡が生じても、画像制御装置や画像表示媒体が損傷する可能性は小さく、安全性が高い。
【００１８】
請求項３の発明によれば、前記シーケンサと前記駆動ＩＣと前記電圧印加回路とを前記表示領域を囲むように前記基板上に形成することにより、画像表示媒体をより薄く形成できる。
【００１９】
請求項４の発明によれば、前記画像表示媒体に新たに画像を書き込んだり、前記画像表示媒体に書き込まれた画像を書き換えたりすることができ、電気接続コネクタの接続を解除することにより、画像制御装置と画像表示媒体とを分離できる画像表示システムが提供される。
【００２０】
請求項５の発明によれば、画像表示媒体に設けられた駆動ＩＣを駆動するための信号を画像制御装置において発生させる必要がないから、画像制御装置の構成を簡略化できる。
【００２１】
請求項６の発明によれば、電気接続コネクタはピン型コネクタではなく、接続クリップであるから、画像表示媒体の接続部を前記接続クリップで銜えることにより電気的接続を行うことができる。また、接続を繰り返し行っても接続部が破損することがない。
【００２２】
請求項７の発明によれば、接続クリップで画像表示媒体の接続部を銜えると、前記接続クリップのメッシュ電極が前記接続部の電気接点に接触することにより、接続クリップと接続部とが電気的に接続される。ここで、メッシュ電極はクッション性を有するから、接続クリップを多数回脱着した後も、接続部や接続クリップに損傷が生じることが従来のピン型コネクタに比較して遥かに少ない。
【発明を実施するための最良の形態】
【００２３】
１．実施形態１
【００２４】
実施形態１に係る画像表示媒体１００は、図１および図３に示すように画像が表示される表示領域１０と、表示領域１０を駆動する駆動ＩＣ２と、駆動ＩＣ２に駆動信号を入力するシーケンサ４と、シーケンサ４で発生した駆動信号を昇圧して駆動ＩＣ２の駆動電圧を発生させる昇圧回路６と、接続クリップ２００によって挟持される接続部８とを備える。
【００２５】
表示領域１０は、コレステリック液晶をポリマー溶液中に分散させた表示層１１を透明基板１２および透明基板１３の間に挟んで形成された長方形状の領域である。表示領域１０は、１辺が透明基板１２および透明基板１３の１辺と一致するように形成されている。透明基板１２および透明基板１３の内側を向いた面の一方には行電極が、他方には列電極が形成されている。
【００２６】
駆動ＩＣ２、シーケンサ４、昇圧回路６、接続部８は何れも透明基板１２の表面に形成されている。そして、駆動ＩＣ２は、表示領域１０の隣接する２辺を囲むように配設され、シーケンサ４、昇圧回路６、および接続部８は、表示領域１０の残りの１辺に沿って形成されている。
【００２７】
接続部８は隣り合って２箇所設けられ、夫々シーケンサ４に電気的に接続されている。接続部８には、接続クリップ２００で挟んだときに接続クリップ２００の後述するメッシュ電極２０４が接触する櫛形の電気接点８Ａが設けられている。
【００２８】
接続クリップ２００は、図１および図２に示すように、画像表示媒体１００の接続部８を銜えるクリップ本体２０２と、クリップ本体２０２の接続部８を銜える側の端部に設けられたメッシュ電極２０４と、一端においてメッシュ電極２０４およびメッシュ電極２０４と電気的に接続された接続コード２１０とを備える。接続コード２１０の他端にはコネクタ２０８が接続され、コネクタ２０８は、本発明の画像制御装置に対応する画像インターフェイス３００に接続される。クリップ本体２０２には、クリップ本体２０２を先端が閉じる方向に付勢するバネ２０６が設けられている。また、クリップ本体２０２の一方の側縁には接続クリップ２００同士を接続するための接続ピン２０５が立設され、他方の側縁には接続ピン２０５が挿入される挿入孔２０７が穿設されている。
【００２９】
メッシュ電極２０４は、図４および図５に示すように、液晶ポリマー製のメッシュ２０４Ａと、メッシュ２０４Ａに所定のピッチで形成された電極２０４Ｂとを備える。電極２０４Ｂは、図４に示すようなスポット状であってもよく、図５に示すようなストライブ状であってもよい。電極２０４Ｂがスポット状のときは、各電極２０４Ｂにリード部２０４Ｃを形成してもよい。電極２０４Ｂの形成方法には特に制限はないが、たとえばパターニング法によって形成できる。パターニング法による電極２０４Ｂの形成は、以下の手順で行うことができる。先ず、メッシュ２０４Ａ全体に無電解鍍金を施し、その上から鍍金レジストをコーティングし、露光、現像して鍍金レジストに開口部パターンを形成する。次に銅鍍金を行って開口部を充填する。その上からニッケル鍍金を行う。ニッケル鍍金後、鍍金レジストを剥離し、全体的に無電解銅鍍金を行う。
【００３０】
以下、画像表示媒体１００の作用について説明する。コネクタ２０８を画像インターフェイス３００に接続し、接続クリップ２００で画像表示媒体１００の接続部８を銜えることにより、接続クリップ２００のメッシュ電極２０４と接続部８の電気接点８Ａとが接触し、画像インターフェイス３００と画像表示媒体１００とが電気的に接続される。
【００３１】
この状態で卓上コンピュータから画像インターフェイス３００に画像データが入力されると、画像インターフェイス３００は、画像データ受取部で画像データを受け取り、前記画像データ受取部で受け取った画像データに基づき、タイミング発生部で画像表示タイミング信号を発生させる。
【００３２】
画像インターフェイス３００で発生した画像表示タイミング信号は、接続クリップ２００および接続部８を通してシーケンサ４に入力される。シーケンサ４は、画像表示タイミング信号が入力されると、画像表示タイミング信号に対応する駆動信号を発生し、駆動ＩＣ２に入力する。前記駆動信号は同時に昇圧回路６に入力され、昇圧回路６において駆動ＩＣ２を駆動する駆動電圧が発生する。この駆動電圧によって駆動ＩＣ２が駆動され、表示領域１０に画像が表示される。
【００３３】
表示領域１０に画像が表示された後、接続クリップ２００の接続を解除する。表示媒体１００は電力を消費せずとも表示内容を保持することができるため、表示領域１０における表示状態を保持できる。
【００３４】
次に、１台の画像インターフェイス３００で２つの画像表示媒体に画像を形成するところを図６に示す。
【００３５】
図６に示す例では、画像表示媒体１００と組み合わされて使用される画像表示媒体１０２は、図６における右上の側縁において透明基板１２の側縁と表示領域１０の側縁とが一致している。そして、駆動ＩＣ２、シーケンサ４、および昇圧回路６は、透明基板１２上に、画像表示媒体１００に対して前記側縁１０を基準にして線対称の位置に配設されている。したがって、画像表示媒体１００の左下の側縁と画像表示媒体１０２の右上の側縁とで両者が接するように画像表示媒体１００と画像表示媒体１０２とを組み合わせることにより、表示領域１０の面積を倍に拡大できる。
【００３６】
表示媒体１００と１０２との電気的な配線を、接続コード２１０によって接続クリップ２００Ｂに接続された接続クリップ２００Ｃで接続する。また表示媒体１００と１０２との表示には縦書きと横書きとの形態が存在するため、接続クリップ２００との接続部８を２箇所設けることにより、接続クリップが常に画像に対して上部に位置するような構成になる。
【００３７】
なお、図７に示すように、接続クリップ２００Ａと接続クリップ２００Ｂとは一体としてもよい。
【００３８】
実施形態１に係る画像表示媒体１００においては、接続クリップ２００で接続部８を銜えることにより、画像インターフェイス３００と電気的に接続する。したがって、画像表示媒体１００の厚さ方向の寸法に誤差があっても確実な接続が可能である。
【００３９】
また、接続クリップ２００の電極はメッシュ電極２０４であるから、電極面は適度の弾力性を有している。したがって、接続を繰り返しても接続部８の電気接点８Ａが損傷することが極めて少ない。
【図面の簡単な説明】
【００４０】
【図１】図１は、実施形態１に係る画像表示媒体の全体的な構成を示す斜視図である。
【図２】図２は、実施形態１に係る画像表示媒体に接続される接続クリップの構成を示す斜視図である。
【図３】図３は、実施形態１に係る画像表示媒体の構成を示すブロック図である。
【図４】図４は、図２に示す接続クリップの備えるメッシュ電極の一例を示す斜視図である。
【図５】図５は、前記メッシュ電極の別の例を示す斜視図である。
【図６】図６は、１台の画像インターフェイスで２つの画像表示媒体を制御するところを示す斜視図である。
【図７】図７は、１台の画像インターフェイスで２つの画像表示媒体を制御するところを示す斜視図である。
【符号の説明】
【００４１】
２      駆動ＩＣ
４      シーケンサ
６      昇圧回路
８      接続部
８Ａ    電気接点
１０      表示領域
１１      表示層
１２      透明基板
１３      透明基板
１００      画像表示媒体
１０２      画像表示媒体
２００      接続クリップ
２０２      クリップ本体
２０４      メッシュ電極
２０４Ａ    メッシュ
２０４Ｂ    電極
２０４Ｃ    リード部
２０５      接続ピン
２０６      バネ
２０７      挿入孔
２０８      コネクタ
２１０      接続コード
３００      画像インターフェイス
【図１】
2008112057.tif 000003
【図２】
2008112057.tif 000004
【図３】
2008112057.tif 000005
【図４】
2008112057.tif 000006
【図５】
2008112057.tif 000007
【図６】
2008112057.tif 000008
【図７】
2008112057.tif 000009